(57)【要約】【課題】側方から太陽光が得られないような場合でも、よく太陽の光を取り込むことができるようにした屋根４等に供される構造板の提供。【解決手段】金属製の屋根材７に多数の孔を穿つとともに、この穿孔部を透光性を有する合成樹脂板８で覆って固定した。板材は谷部５と山部６とを連続的に折り曲げたデッキ板７であるのが好ましい。板材は屋根材７である必要はない。たとえば、壁を構成する板材であってもよい。この板材の穿孔部を透光性樹脂板で覆う構成であってもよい。【選択図】図１
2005042430.tif 000002
【特許請求の範囲】
【請求項１】
金属製の板材に多数の孔を穿つとともに、この穿孔部を透光性を有する合成樹脂板で覆って固定したことを特徴とする屋根等に供される構造板。
【請求項２】
前記金属製の板材が屋根材であって、その一側又は両側が湾曲し、前記多数の孔と合成樹脂板は湾曲部を除く部位に設けられた、請求項１記載の屋根等に供される構造板。
【請求項３】
前記金属製の板材は谷部と山部とを連続的に折り曲げたデッキ板である、請求項１又は２に記載の屋根等に供される構造板。
【発明の詳細な説明】
【技術分野】
【０００１】
本発明は、金属製板材に多数の孔を穿つとともに、その上に透光性樹脂板を重合させた二重構造の屋根等に供される構造板に関するものである。
【背景技術】
【０００２】
例えば、金属製の屋根材は強度や剛性が高く、施工も簡単で、しかも低コストなので、ガレージや物置、簡易倉庫などの比較的小型の建造物、構造体によく利用されている。中でも、谷部と山部とを連続させたデッキ板は強度が高いので、補強用の鉄骨なども少なくて済み、組み立て作業も容易であるから、屋根材として好まれている。
【０００３】
ところで、例えばカーポートを設置する場合、母屋と十分に離れた位置に設置するのであれば問題ないが、特に大都市ではほとんどの場合、十分に大きな敷地を得るのは難しい。そのため、母屋の壁に近接する位置に建てざるを得ない。
【発明の開示】
【発明が解決しようとする課題】
【０００４】
しかし、カーポートは支柱の上に屋根を乗せただけの構造であるから、本来は横から太陽の光が入ってカーポート内は明るいはずであるのに、母屋に近接した位置にカーポートを設置すると、カーポートの内側が母屋の陰になってしまい、太陽光がよく照射されずに暗くなるという問題点があった。
【０００５】
本発明は、側方から太陽光が得られないような場合でも、よく太陽の光を取り込むことができるようにした屋根等に供される構造板を提供することをその課題とする。
【課題を解決するための手段】
【０００６】
本発明は、金属製の屋根材等に供される構造板に多数の孔を穿つとともに、その上に透光性を有する合成樹脂板を重合したことを最も主要な特徴とする。
【０００７】
そして、請求項１に係る発明は、金属製の板材に多数の孔を穿つとともに、この穿孔部を透光性を有する合成樹脂板で覆って固定したことを特徴とする。
【０００８】
請求項２に係る発明は、前記金属製の板材が屋根材であって、その一側又は両側が湾曲し、前記多数の孔と合成樹脂板は湾曲部を除く部位に設けられたことを特徴とする。
【０００９】
さらに、請求項３に係る発明は、前記金属製の板材は谷部と山部とを連続的に折り曲げたデッキ板であることを特徴とする。
【発明の効果】
【００１０】
請求項１に係る発明によれば、屋根材等の板材に多数の孔が穿たれているので、太陽光を取り込んで板材の裏側を明るくすることができる。そして、穿孔部は透光性を有する合成樹脂板で覆われているので、採光が損なわれることがなく、また穿孔部から雨水が落ちてくることもない。しかも、穿孔された分だけ屋根材の強度は低下するが、合成樹脂板を重合して固定したので、合成樹脂板によって強度は補強される。したがって、全体としての強度はそれほど低下しないので、問題はない。
【００１１】
請求項２に係る発明によれば、湾曲した部分には穿孔しないので、その分の強度低下は防止される。
【００１２】
請求項３に係る発明によれば、板材にデッキ板を使用することにより、より強度、剛性の高い屋根を得ることができる。
【発明を実施するための最良の形態】
【００１３】
太陽の光を取り込むという目的を、強度をあまり損なわずに実現した。
【実施例】
【００１４】
図１は本発明の１実施例のカーポートの斜視図であり、図２は支柱部分の斜視図、図３は屋根部分の一部の拡大図であり、図４は屋根部分の一部の拡大断面図である。
屋根部分の斜視図である。上記カーポートは、３本の支柱１をコ字形に折り曲げ、水平部分１ａを梁２で連結し、梁２の上にはタイトフレーム３を固定し、このタイトフレーム３付き梁２の上に屋根４を設けたもので、屋根４は谷部５と山部６とを連続的に折り曲げた複数の金属製のデッキ板７を、梁２の長手方向に沿って連設するとともに、その上に透光性を有する合成樹脂板８を重合して固定したものである。タイトフレーム３の山と谷もデッキ板７の山部６と谷部５に即した形状となっている。
【００１５】
デッキ板７の山部６と谷部５はそれぞれ平坦部９の両側に傾斜部１０を連続させた台形状に形成されている。また、屋根４の中央部分は地面と平行であるが、両側は湾曲している。
【００１６】
次に、上記デッキ板７の、湾曲部を除く中央部分には、多数の小孔１１が形成されている。各小孔１１は細長で、横３列に形成され、中央の列の小孔１１は半ピッチだけずれている。小孔１１の形状や大きさは図示されたものに限定されない。採光に十分なものであれば、その形状や大きさ、数等は自由に選択すればよい。
【００１７】
なお、小孔１１は傾斜部１０に形成するのが好ましい。その理由は、小孔１１のある傾斜部１０は太陽がどの方向にあっても、太陽光の入射角は９０°に近くなるから、最も効率よく太陽光を取り込むことができるからである。平坦部の小孔１１の場合は、太陽が高いときはよいが、太陽が傾いたときは、入射角は小さくなり、太陽光が斜めから入るので、太陽光の取り込み効率はよくない。したがって、傾斜部１０に小孔１１を形成した方が屋根４の下方を明るくすることができる。
【００１８】
次に、上記デッキ板７には小孔１１が形成されているから、そのままでは雨が漏ってしまう。また、強度も低下する。そのため、デッキ板７の穿孔部の上には、合成樹脂板８が重合されている。この合成樹脂板８は透光製樹脂板で、耐候性や強度などを考慮すると、ポリカーボネートやアクリル樹脂などが好ましい。これらの合成樹脂板８も、デッキ板７とほぼ同じく、谷部５と山部６とを連続的に折り曲げた折板で、デッキ板７の小孔１１部分よりも少し幅広にしてデッキ板７に重ね、ボルト１２、ナット１３でタイトフレーム３に固定されている。
【００１９】
上述の構成によれば、金属製の屋根４の穿孔部を透光性を有する合成樹脂板８で覆って固定したので、穿孔部からは太陽光を取り込んで屋根の下方を明るく照らすことができる。したがって、カーポートの片側又は両側に建築物や構築物などの太陽光を遮るようなものがあっても、屋根４からの採光によって明るくすることができる。
【００２０】
また、穿孔部は透光性を有する合成樹脂板８で覆われているので、採光が損なわれることがなく、また穿孔部から雨水が落ちてくることもない。しかも、穿孔された分だけ屋根４材の強度は低下するが、合成樹脂板８を重合して固定したので、合成樹脂板８によって強度は補強される。したがって、全体としての強度はそれほど低下しないので、実際上問題はない。
【００２１】
また、湾曲した部分には穿孔しないので、その分の強度低下は防止される。
【００２２】
さらに、屋根材にデッキ板７を使用することにより、より強度、剛性の高い屋根４を得ることができる。
【００２３】
なお、屋根材はデッキ板７である必要はない。例えば、平板状の金属板であってもよい。
【産業上の利用可能性】
【００２４】
金属製の板材は屋根材である必要はない。たとえば、壁を構成する構造板であってもよい。この構造板の穿孔部を透光性樹脂板で覆うことによっても、上述のものと同様の効果を得ることができる。
【図面の簡単な説明】
【００２５】
【図１】カーポートの斜視図である。
【図２】支柱部分の斜視図である。
【図３】屋根部分の一部の拡大図である。
【図４】屋根部分の一部の拡大断面図である。
【符号の説明】
【００２６】
４    屋根
７    デッキ板
８    合成樹脂板
１１  小孔
【図１】
2005042430.tif 000003
【図２】
2005042430.tif 000004
【図３】
2005042430.tif 000005
【図４】
2005042430.tif 000006